(57)【要約】【課題】  リアプロジェクション型映像装置において、低音スピーカが発する重低音などによって投射レンズが振動することにより生じる像揺れを防ぐ。【解決手段】  リアプロジェクションテレビ１００は、ハウジング１１４と、テレビジョン制御部（信号処理部）１２８と、画像表示素子１２０と、投射レンズシステム１３０と、画像投射用ミラー１４０と、拡大画像を背面から投影するためのスクリーン１５０とを備える。投射レンズシステム１３０は、後群光学系１３２と、中間ミラー１３４と、前群光学系１３６とを含む。前群光学系用鏡胴１４６の締結部分と、後群光学系用鏡胴１４２の締結部分とは、締結構造によって互いに締結される。【選択図】      図１
2005352293.tif 000002
【特許請求の範囲】
【請求項１】
拡大画像をスクリーンに後方から投射して表示することができるリアプロジェクション型映像装置において、
構成部品を収容するためのハウジングと、
画像情報に関する信号及び音声情報に関する信号を受け入れて、リアプロジェクション型映像装置の動作を制御するための信号処理部と、
前記信号処理部に接続され、前記信号処理部が出力する画像信号を受け入れて、画像を表示するための画像表示素子と、
前記信号処理部に接続され、前記信号処理部が出力する音声信号を受け入れて、低音を出力するための低音スピーカと、
前記画像表示素子が表示する画像を拡大した投射するための投射レンズシステムとを備え、
前記低音スピーカと、前記投射レンズシステムは前記ハウジングに収容されており、
前記投射レンズシステムは、前記画像表示素子が表示する画像の光線を集束させる凸レンズを含む後群光学系と、前記後群光学系を通過した光線を拡散させる凹レンズを含む前群光学系とを含むように構成され、
前記後群光学系は後群光学系用鏡胴によって支持され、
前記前群光学系は前群光学系用鏡胴によって支持され、
前記前群光学系用鏡胴と前記後群光学系用鏡胴とが、締結構造によって締結される、
ことを特徴とするリアプロジェクション型映像装置。
【請求項２】
前記前群光学系用鏡胴と前記後群光学系用鏡胴は、位置決めピン及び固定ねじを含む締結構造によって締結されることを特徴とする、請求項１記載のリアプロジェクション型映像装置。
【請求項３】
前記前群光学系用鏡胴と前記後群光学系用鏡胴は、接着剤によって締結されることを特徴とする、請求項１記載のリアプロジェクション型映像装置。
【請求項４】
前記前群光学系用鏡胴と前記後群光学系用鏡胴は、ボス及び接着剤を含む締結構造によって締結されることを特徴とする、請求項１記載のリアプロジェクション型映像装置。
【請求項５】
前記前群光学系用鏡胴と前記後群光学系用鏡胴との間に、クッション材が配置されることを特徴とする、請求項１記載のリアプロジェクション型映像装置。
【請求項６】
前記前群光学系用鏡胴と前記後群光学系用鏡胴との間に、クッション材が配置され、さらに、前記前群光学系用鏡胴と前記後群光学系用鏡胴は、ボスを含む締結構造によって締結されることを特徴とする、請求項１記載のリアプロジェクション型映像装置。
【請求項７】
前記前群光学系用鏡胴と前記後群光学系用鏡胴との間に、クッション材が配置され、さらに、前記前群光学系用鏡胴と前記後群光学系用鏡胴は、位置決めピン及び固定ねじを含む締結構造によって締結されることを特徴とする、請求項１記載のリアプロジェクション型映像装置。
【請求項８】
前記信号処理部は、テレビ局からのテレビジョン信号を受け入れて、画像情報に関する信号及び音声情報に関する信号を出力し、リアプロジェクションテレビの動作を制御するように構成されることを特徴とする、請求項１〜７のいずれか１項に記載のリアプロジェクション型映像装置。
【発明の詳細な説明】
【技術分野】
【０００１】
本発明は、拡大画像をスクリーンに後方から投射して表示することができる、リアプロジェクションテレビ、リアプロジェクタなどのリアプロジェクション型映像装置に関する。特に、本発明は、低音スピーカにより生じる投射レンズシステムの振動を減らすように構成されたリアプロジェクション型映像装置に関する。
【背景技術】
【０００２】
従来のリアプロジェクタは、画像形成部を収納する下部キャビネットと、スクリーン本体とを備え、スクリーン本体に拡大画像（拡大映像）を背面から投射している（例えば、特許文献１参照）。また、従来の背面投射型映像装置は、上部キャビネットと、下部キャビネットとから構成され、スクリーンに拡大画像（拡大映像）を背面から投射して表示する構造を備えている。下部キャビネットに、光源部と、スピーカが配置されている（例えば、特許文献２参照）。また、従来のリアプロジェクションテレビは、上部キャビネットにスクリーン及びミラーを備え、下部キャビネットに映像機器、駆動及び制御回路、投射レンズを含む光学ユニット及び光源からなる主要構成部分を備えている（例えば、特許文献３参照）。
【０００３】
図１３および図１４に、従来のリアプロジェクタの一例を示す。図１３および図１４を参照すると、リアプロジェクタ９００は、上部キャビネット９１０と、下部キャビネット９１２とを備える。外部から画像情報に関する信号及び音声情報に関する信号を受け入れて、画像信号及び音声信号を出力して、リアプロジェクタの動作を制御するための動作制御部９２８が、下部キャビネット９１２の中央部の後方部分に配置される。画像（映像）を表示するための画像表示素子９２０が、下部キャビネット９１２の中央部の後方部分であって、テレビジョン制御部９２８の前方に配置される。画像表示素子９２０が表示する画像を拡大した投射するための投射レンズシステム９３０が、下部キャビネット９１２の中央部の前方部分であって、画像表示素子９２０の前方に配置される。投射レンズシステム９３０が投射した画像を反射するための画像投射用ミラー９４０が、上部キャビネット９１０の後部の斜面部内に配置される。画像投射用ミラー９４０の反射面は、水平面に対して５５度の角度に構成されている。画像投射用ミラー９４０が反射した拡大画像を背面から投影するためのスクリーン９５０が上部キャビネット９１０の中央部の前面に配置される。スクリーン９５０の表示部は、水平面に対して９０度の角度に構成されている。第１の高音スピーカ９６０が、上部キャビネット９１０の右側部に配置される。第２の高音スピーカ９６２が、上部キャビネット９１０の左側部に配置される。第１の低音スピーカ９６４が、下部キャビネット９１２の右部分に配置される。第２の低音スピーカ９６６が、下部キャビネット９１２の左部分に配置される。
【０００４】
画像表示素子９２０は、動作制御部９２８に接続され、動作制御部９２８が出力する画像信号を受け入れ、画像情報を表示することができる。高音スピーカ９６０、９６２および低音スピーカ９６４、９６６は動作制御部９２８に接続され、動作制御部９２８が出力する音声信号を受け入れ、音声を出力することができる。投射レンズシステム９３０は、画像表示素子９２０が表示する画像の光線を集束させる複数の凸レンズを含む後群光学系９３２と、後群光学系９３０を通過した光線を反射させる中間ミラー９３４と、中間ミラー９３４が反射した光線を拡散させる複数の凹レンズを含む前群光学系９３６とを含む。後群光学系９３２は、画像表示素子９２０の前方に配置される。後群光学系９３２は後群光学系用鏡胴９４２によって支持される。中間ミラー９３４は、後群光学系９３２の前方に配置される。前群光学系９３６は、中間ミラー９３４の上方で後方よりに配置される。前群光学系９３６は前群光学系用鏡胴９４６によって支持される。後群光学系９３２の光軸９３２ｘは、水平面に対して２０度の角度に構成されている。中間ミラー９３４の反射面は、水平面に対して９０度の角度に構成されている。前群光学系９３６の光軸９３６ｘは、水平面に対して７０度の角度に構成されている。画像表示素子９２０が表示する画像は、後群光学系９３２を通り、中間ミラー９３４で反射され、前群光学系９３６を通ることによって拡大され、更に、画像投射用ミラー９４０で反射され、スクリーン９５０に背面から投影される。このような構造を採用することによって、使用者は、画像表示素子９２０が表示する画像の拡大画像をスクリーン９５０の正面（前方）から見ることができる。
【０００５】
【特許文献１】特開２００３−２７４３１４号公報（第４〜６頁、図１〜図７）
【特許文献２】特開平９−９８３５９号公報（第２〜４頁、図１〜図３）
【特許文献３】特開平９−９８３５７号公報（第３〜４頁、図１〜図６）
【発明の開示】
【発明が解決しようとする課題】
【０００６】
リアプロジェクションテレビは、近年、一層薄型なプラズマテレビが登場したことの影響によって、一層薄型化にすることが必要とされている。しかし、リアプロジェクションテレビを薄型化するには、投射レンズの投射距離を短くする必要がある。投射レンズの投射距離を短くするには、投射レンズの焦点距離を短くして、投射レンズを一層広角系にする必要がある。しかしながら、投射レンズを広角系にすればするほど、投射レンズの前玉（最も前方に配置されている１枚のレンズ）の直径が大きくなり、投射レンズの前玉の重量は重くなってしまう。また、安価で大量生産するために、金属に比べて簡単に製造することができるプラスチックで投射レンズの鏡胴を製造することが多くなっている。このようにプラスチックで投射レンズの鏡胴を製造する場合、投射レンズの前玉の重量に対して投射レンズの鏡胴の剛性が弱くなり、低音スピーカ（ウーハ）が発する重低音などによって投射レンズが振動する課題が生じる。上記の課題はリアプロジェクタにも同様に生じている。
【０００７】
図１４を参照すると、リアプロジェクタ９００のスクリーン９５０に投射されている映像は、液晶パネルなどの画像表示素子９２０の画像を数十倍に拡大したものである。投射中に投射レンズシステム９３０の前玉９３８が振動すると、前群光学系９３６の光軸９３６ｘと後群光学系９３２の光軸９３２ｘとなす角度θ１が変化し、投射レンズシステム９３０の前玉９３８の先端部で振れ幅ａが生じる。この振れ幅ａの値がわずかであったとしても、スクリーン９５０では振れが拡大されて振れ幅ａ’になる。すなわち、投射中に前玉９３８が振動すると、スクリーン９５０に投射されている映像には、上下方向の大きな揺れが現われる。また、前玉９３８に、ねじれ方向の力が働くと、スクリーン９５０に投射されている映像には、左右方向の大きな揺れが現われる。特に、建物などの直線的な部分が多い画像を投射している場合や、字幕などを投射している場合には、一層像揺れを感じやすくなることが多い。
【０００８】
本発明の目的は、低音スピーカ（ウーハ）が発する重低音などによって投射レンズが振動することにより生じる像揺れを防ぐことができるように構成されたリアプロジェクションテレビ、リアプロジェクタなどのリアプロジェクション型映像装置を提供することにある。また、本発明の他の目的は、投射レンズに関連する部品の部品精度の負い込みが必要なく、分解組立が容易なリアプロジェクション型映像装置を提供することにある。
【課題を解決するための手段】
【０００９】
本発明は、テレビの拡大画像をスクリーンに後方から投射して表示することができるリアプロジェクション型映像装置において、構成部品を収容するためのハウジングと、画像情報に関する信号及び音声情報に関する信号を受け入れて、リアプロジェクション型映像装置の動作を制御するための信号処理部と、信号処理部に接続され、信号処理部が出力する画像信号を受け入れて、画像を表示するための画像表示素子と、前記テレビジョン制御部に接続され、信号処理部が出力する音声信号を受け入れて、低音を出力するための低音スピーカと、画像表示素子が表示する画像を拡大した投射するための投射レンズシステムとを備えるように構成した。このリアプロジェクションテレビでは、低音スピーカと、投射レンズシステムはハウジングに収容されており、投射レンズシステムは、画像表示素子が表示する画像の光線を集束させる凸レンズを含む後群光学系と、後群光学系を通過した光線を拡散させる凹レンズを含む前群光学系とを含むように構成される。このリアプロジェクション型映像装置では、後群光学系は後群光学系用鏡胴によって支持され、前群光学系は前群光学系用鏡胴によって支持され、前群光学系用鏡胴と後群光学系用鏡胴とが、締結構造によって締結されることを特徴とする。この構成により、低音スピーカ（ウーハ）が発する重低音などによって投射レンズが振動することにより生じる像揺れを防ぐことができる。
【００１０】
本発明のリアプロジェクション型映像装置では、前群光学系用鏡胴と後群光学系用鏡胴は、位置決めピン及び固定ねじを含む締結構造によって締結されるのが好ましい。この構成により、投射中に投射レンズシステムの前玉が振動して、前群光学系の光軸と後群光学系の光軸となす角度が変化するのを効果的に阻止することができる。さらに、この構成により、ねじれ方向の力が前玉に加えられたとき、前群光学系の光軸が変化するのを効果的に阻止することができる。
【００１１】
また、本発明のリアプロジェクション型映像装置では、前群光学系用鏡胴と後群光学系用鏡胴は、接着剤によって締結することができる。この構成により、前群光学系用鏡胴と、後群光学系用鏡胴との間に隙間があっても、接着剤が両者の隙間に流れ込むので、部品精度に影響されることなしに、前群光学系用鏡胴と後群光学系用鏡胴を堅固に固定することができる。
また、本発明のリアプロジェクション型映像装置では、前群光学系用鏡胴と後群光学系用鏡胴は、ボス及び接着剤を含む締結構造によって締結することができる。この構成により、前群光学系用鏡胴と、後群光学系用鏡胴との間に隙間があっても、接着剤が両者の隙間に流れ込むので、部品精度に影響されることなしに、前群光学系用鏡胴と後群光学系用鏡胴を堅固に固定することができる。さらに、ボスを設けることによって、大きな力が投射レンズシステムの前玉に加えられたときにも、締結部分の移動をボスによって支えることができ、一層頑丈な構造を実現することができる。
【００１２】
また、本発明のリアプロジェクション型映像装置では、前群光学系用鏡胴と後群光学系用鏡胴との間に、クッション材を配置するように構成してもよい。この構成により、前群光学系用鏡胴と、後群光学系用鏡胴との間に隙間があっても、クッション材が隙間に配置されるで、部品精度に影響されることなしに、前群光学系用鏡胴と後群光学系用鏡胴をぴったりと密着させることができる。
また、本発明のリアプロジェクション型映像装置では、前群光学系用鏡胴と後群光学系用鏡胴との間に、クッション材を配置し、さらに、前群光学系用鏡胴と後群光学系用鏡胴は、ボスを含む締結構造によって締結するように構成してもよい。この構成により、前群光学系用鏡胴と、後群光学系用鏡胴との間に隙間があっても、クッション材が隙間に配置されるで、部品精度に影響されることなしに、前群光学系用鏡胴と後群光学系用鏡胴をぴったりと密着させることができる。さらに、ボスを設けることによって、大きな力が投射レンズシステムの前玉に加えられたときにも、締結部分の移動をボスによって支えることができ、一層頑丈な構造を実現することができる。
【００１３】
また、本発明のリアプロジェクション型映像装置では、前群光学系用鏡胴と後群光学系用鏡胴との間に、クッション材を配置し、さらに、前群光学系用鏡胴と後群光学系用鏡胴は、位置決めピン及び固定ねじを含む締結構造によって締結するように構成してもよい。この構成により、前群光学系用鏡胴と、後群光学系用鏡胴との間に隙間があっても、クッション材が隙間に配置されるで、部品精度に影響されることなしに、前群光学系用鏡胴と後群光学系用鏡胴をぴったりと密着させることができる。この構成により、投射中に投射レンズシステムの前玉が振動して、前群光学系の光軸と後群光学系の光軸となす角度が変化するのを効果的に阻止することができる。さらに、この構成により、ねじれ方向の力が前玉に加えられたとき、前群光学系の光軸が変化するのを効果的に阻止することができる。
さらに、本発明のリアプロジェクション型映像装置では、信号処理部は、テレビ局からのテレビジョン信号を受け入れて、画像情報に関する信号及び音声情報に関する信号を出力し、リアプロジェクションテレビの動作を制御するように構成することができる。この構成により、低音スピーカ（ウーハ）が発する重低音などによって投射レンズが振動することにより生じる像揺れを防ぐことができるように構成されたリアプロジェクションテレビを実現することができる。
【発明の効果】
【００１４】
本発明のリアプロジェクション型映像装置は、投射レンズの前群の揺れを効果的に阻止することができるので、像揺れを効果的に阻止することができる。したがって、本発明のリアプロジェクション型映像装置の使用者は、目にかかる負担が少なく、快適にリアプロジェクション型映像装置を鑑賞することができる。また、本発明のリアプロジェクション型映像装置は、製造に際して投射レンズに関連する部品の部品精度の負い込みが必要なく、分解組立が容易である。したがって、本発明のリアプロジェクション型映像装置は、少ない工数で製造することができ、メインテナンスなどに要する時間も少ない。
【発明を実施するための最良の形態】
【００１５】
以下に、本発明の実施の形態を図面に基づいて説明する。本発明のリアプロジェクション型映像装置は、リアプロジェクションテレビ、リアプロジェクタなどのように、拡大画像をスクリーンに後方から投射して表示することができるように構成された映像装置を包含する概念である。
（１）第１の実施の形態
本発明の第１の実施の形態は、リアプロジェクション型映像装置の中で、リアプロジェクションテレビに関するものである。図１から図３を参照すると、本発明のリアプロジェクション型映像装置の実施の形態において、リアプロジェクションテレビ１００は、テレビの拡大画像をスクリーンに後方から投射して表示することができるように構成される。リアプロジェクションテレビ１００は、構成部品を収容するためのハウジング１１４を備える。ハウジング１１４は、上方に配置された上部キャビネット１１０と、下方に配置された下部キャビネット１１２とを含むように構成されるのがよい。ハウジング１１４は、上部キャビネットと、下部キャビネットとに区分しないで、一体に構成することもできる。
【００１６】
テレビ局からのテレビジョン信号を受け入れて、画像情報に関する信号及び音声情報に関する信号を出力し、リアプロジェクションテレビの動作を制御するためのテレビジョン制御部１２８が、下部キャビネット１１２の中央部の後方部分に配置される。受信アンテナ（図示せず）をテレビジョン制御部１２８に接続することができる。テレビジョン制御部１２８が出力する画像信号を受け入れて、テレビの画像（映像）を表示するための画像表示素子１２０が、下部キャビネット１１２の中央部の後方部分であって、テレビジョン制御部１２８の前方に配置される。テレビジョン制御部１２８は、下部キャビネット１１２の後方部分のいずれの位置に配置することもできる。テレビジョン制御部１２８は、リアプロジェクションテレビ１００の信号処理部を構成する。
【００１７】
画像表示素子１２０は液晶パネルで構成することができる。画像表示素子１２０が表示する画像を拡大した投射するための投射レンズシステム１３０が、下部キャビネット１１２の中央部であって、画像表示素子１２０の前方に配置される。投射レンズシステム１３０が投射した画像を反射してスクリーンに後方から投射するための画像投射用ミラー１４０が、上部キャビネット１１０の後部に配置される。画像投射用ミラー１４０は上部キャビネット１１０の後部に対して、しっかりと固定されて支持されるのが好ましい。画像投射用ミラー１４０の反射面は、水平面に対して６０度の角度に構成されている。画像投射用ミラー１４０の反射面は、水平面に対して６０度以外の角度に構成することもできる。或いは、画像投射用ミラーを複数含むように構成することもできる。或いは、画像投射用ミラーを設けることなしに、投射レンズシステムによってスクリーンに後方から画像を投射するように構成することもできる。
【００１８】
画像投射用ミラー１４０が反射した拡大画像を背面から投影するためのスクリーン１５０が上部キャビネット１１０の中央部の前面に配置される。スクリーン１５０は上部キャビネット１１０の前部に対して、しっかりと固定されて支持されるのが好ましい。スクリーン１５０の表示部は、水平面に対して９０度の角度に構成されている。スクリーン１５０の表示部は、水平面に対して９０度以外の角度に構成することもできる。テレビジョン制御部１２８に接続され、テレビジョン制御部１２８が出力する音声信号を受け入れて、高音を出力するための第１の高音スピーカ（右ツイータ）１６０が、上部キャビネット１１０の右側部に配置される。テレビジョン制御部１２８に接続され、テレビジョン制御部１２８が出力する音声信号を受け入れて、高音を出力するための第２の高音スピーカ（左ツイータ）１６２が、上部キャビネット１１０の左側部に配置される。テレビジョン制御部１２８に接続され、テレビジョン制御部１２８が出力する音声信号を受け入れて、低音を出力するための第１の低音スピーカ（右ウーハ）１６４が、下部キャビネット１１２の右部分に配置される。テレビジョン制御部１２８に接続され、テレビジョン制御部１２８が出力する音声信号を受け入れて、低音を出力するための第２の低音スピーカ（左ウーハ）１６６が、下部キャビネット１１２の左部分に配置される。低音スピーカ１６４、１６６と、投射レンズシステム１３０はハウジング１１４の下部（下部キャビネット１１２内）に隣接して収容されている。
【００１９】
画像表示素子１２０は、テレビジョン制御部１２８に接続され、テレビジョン制御部１２８が出力する画像信号を受け入れ、画像情報を表示することができる。特に、図２を参照すると、画像表示素子１２０は下部キャビネット１１２に対して、しっかりと固定されて支持されるのが好ましい。また、テレビジョン制御部１２８は下部キャビネット１１２に対して、しっかりと固定されて支持されるのが好ましい。高音スピーカ１６０、１６２および低音スピーカ１６４、１６６はテレビジョン制御部１２８に接続され、テレビジョン制御部１２８が出力する音声信号を受け入れ、音声を出力することができるように構成される。
【００２０】
投射レンズシステム１３０は、画像表示素子１２０が表示する画像の光線を集束させる複数の凸レンズを含む後群光学系１３２と、後群光学系１３０を通過した光線を反射させる中間ミラー１３４と、中間ミラー１３４が反射した光線を拡散させる複数の凹レンズを含む前群光学系１３６とを含む。後群光学系１３２は、１枚の凸レンズで構成してもよいし、１枚又は複数の凸レンズと、１枚又は複数の凹レンズを組み合わせて構成してもよい。前群光学系１３６は、１枚の凹レンズで構成してもよいし、１枚又は複数の凹レンズと、１枚又は複数の凸レンズを組み合わせて構成してもよい。或いは、付加的な凸レンズ及び／又は凸レンズを組み合わせて使用してもよい。或いは、中間ミラー１３４を設けることなしに、前群光学系１３６の光軸と、後群光学系１３２の光軸とが一致するように構成することができる。後群光学系１３２及び／又は前群光学系１３６は、光学系のピントを合わせるために光軸方向に移動可能な１個又は複数のレンズを含むように構成することができる。
【００２１】
後群光学系１３２は、画像表示素子１２０の前方に配置される。後群光学系１３２は後群光学系用鏡胴１４２によって支持される。後群光学系用鏡胴１４２は、アルミダイキャストや、エンジニアリングプラスチック（例えば、ポリカーボネート、ＰＰＳなど）などで形成することができる。特に、図２を参照すると、後群光学系用鏡胴１４２は下部キャビネット１１２に対して、ねじ固定などの固定手段を用いて、しっかりと支持されるのが好ましい。中間ミラー１３４は、後群光学系１３２の前方に配置される。中間ミラー１３４の中間ミラー保持部１４４は、後群光学系用鏡胴１４２に対して、嵌め込み固定などの固定手段を用いて支持される。前群光学系１３６は、中間ミラー１３４の上方に配置される。前群光学系１３６は、前群光学系用鏡胴１４６によって支持される。前群光学系用鏡胴１４６は、アルミダイキャストや、エンジニアリングプラスチック（例えば、ポリカーボネート、ＰＰＳなど）などで形成することができる。前群光学系用鏡胴１４６は、中間ミラー１３４の中間ミラー保持部材に対して、ねじ固定などの固定手段を用いて支持される。後群光学系１３２の光軸１３２ｘは、水平面に対して平行なように構成されている。後群光学系１３２の光軸１３２ｘは、水平面に対して角度をなすように構成することもできる。
【００２２】
中間ミラー１３４の反射面は、水平面に対して６０度の角度に構成されている。中間ミラー１３４の反射面は、水平面に対して６０度以外の角度に構成することもできる。前群光学系１３６の光軸１３６ｘは、水平面に対して６０度の角度に構成されている。前群光学系１３６の光軸１３６ｘは、水平面に対して６０度以外の角度に構成することもできる。画像表示素子１２０が表示する画像は、後群光学系１３２を通り、中間ミラー１３４で反射され、前群光学系１３６を通ることによって拡大され、更に、画像投射用ミラー１４０で反射され、スクリーン１５０に背面から投影される。このような構造を採用することによって、使用者は、画像表示素子１２０が表示する画像の拡大画像をスクリーン１５０の正面（前方）から見ることができる。利用者は、リモートコントローラ（図示せず）を用いてリアプロジェクションテレビ１００を操作することができるように構成される。表示部及びスイッチ部を含む操作部を上部キャビネット１１０及び／又は下部キャビネット１１２に設けることもできる。
【００２３】
図１及び図５を参照すると、リアプロジェクションテレビ１００のスクリーン１５０に投射されている映像は、液晶パネルなどの画像表示素子１２０の画像を数十倍に拡大したものである。投射中に投射レンズシステム１３０の前玉１３８が振動すると、前群光学系１３６の光軸と後群光学系１３２の光軸となす角度θ１が変化し、投射レンズシステム１３０の前玉１３８の先端部で振れ幅ａが生じる。この振れ幅ａの値がわずかであったとしても、スクリーン１５０では振れが拡大されて振れ幅ａ’になる。すなわち、投射中に前玉１３８が振動すると、スクリーン１５０に投射されている映像に、上下方向の大きな揺れが生じるおそれがある。また、図４に示すように、前玉１３８に、ねじれ方向の力が働き、前群光学系１３６の光軸１３６ｘが角度θ２だけ変化すると、スクリーン１５０に投射されている映像には、左右方向の大きな揺れが生じるおそれがある。
【００２４】
本発明のリアプロジェクションテレビ１００では、前記振れ幅ａの発生及び／又は前記左右方向の揺れを低減するために、前群光学系用鏡胴１４６と後群光学系用鏡胴１４２とが締結されている。すなわち、前群光学系用鏡胴１４６の締結部分と、後群光学系用鏡胴１４２の締結部分とは、締結構造によって互いに締結されている。この構成により、前記角度θ１および前記角度θ２の変化を防止して、像揺れを低減させることができる。図６を参照すると、第一タイプの締結構造において、取付部１４６ｆが前群光学系用鏡胴１４６の外周部で後部に設けられる。取付部１４６ｆはフランジ形状に形成することができる。案内孔１４６ｈが前群光学系用鏡胴１４６の取付部１４６ｆに設けられる。保持部１４２ｂが後群光学系用鏡胴１４２の上部に設けられる。保持部１４２ｂは受け台形状に形成することができる。位置決めピン１４２ｐが保持部１４２ｂの上面に設けられる。ねじ孔１４２ｃが保持部１４２ｂの上面に設けられる。
【００２５】
位置決めピン１４２ｐを案内孔１４６ｈの中に配置して、固定ねじ１４２ｄをねじ孔１４２ｃにねじ込むことによって、取付部１４６ｆを保持部１４２ｂに対して堅固に固定することができる。ねじ孔１４２ｃに雌ねじを形成しておくのがよい。或いは、固定ねじ１４２ｄとしてセルフタップねじを用いるときは、ねじ孔１４２ｃは、雌ねじを形成しない単純な穴として形成すればよい。この構成により、投射中に投射レンズシステム１３０の前玉１３８が振動して、前群光学系１３６の光軸と後群光学系１３２の光軸となす角度θ１が変化するのを効果的に阻止することができる。さらに、この構成により、ねじれ方向の力が前玉１３８に加えられたとき、前群光学系１３６の光軸１３６ｘが角度θ２だけ変化するのを効果的に阻止することができる。
【００２６】
変形例として、図７を参照すると、第二タイプの締結構造において、取付部１４６ｆが前群光学系用鏡胴１４６の外周部で後部に設けられる。保持部１４２ｂが後群光学系用鏡胴１４２の上部に設けられる。接着剤１７０を用いて、取付部１４６ｆを保持部１４２ｂに対して堅固に固定することができる。この構造を用いると、取付部１４６ｆの下面と、保持部１４２ｂの上面との間に隙間ｂがあっても、接着剤１７０が隙間ｂに流れ込むので、部品精度に影響されることなしに、取付部１４６ｆを保持部１４２ｂに対して堅固に固定することができる。したがって、この構成により、隙間ｂがなくなるように部品寸法の設計値を負い込む必要をなくすことができる。また、この構成により、投射中に投射レンズシステム１３０の前玉１３８が振動して、前群光学系１３６の光軸と後群光学系１３２の光軸となす角度θ１が変化するのを効果的に阻止することができ、かつ、前玉１３８に、ねじれ方向の力が働いたとき、前群光学系１３６の光軸１３６ｘが角度θ２だけ変化するのを効果的に阻止することができる。
【００２７】
更なる変形例として、図５及び図８を参照すると、第三タイプの締結構造において、取付部１４６ｆが前群光学系用鏡胴１４６の外周部で後部に設けられる。案内孔１４６ｊが前群光学系用鏡胴１４６の取付部１４６ｆに設けられる。保持部１４２ｂが後群光学系用鏡胴１４２の上部に設けられる。ボス１４２ｇが保持部１４２ｂの上面に設けられる。ボス１４２ｇを案内孔１４６ｊの中に配置して、接着剤１７０を用いて、取付部１４６ｆを保持部１４２ｂに対して堅固に固定することができる。取付部１４６ｆの下面と、保持部１４２ｂの上面との間に隙間ｂがあっても、接着剤１７０が隙間ｂに流れ込むので、部品精度に影響されることなしに、取付部１４６ｆを保持部１４２ｂに対して堅固に固定することができる。さらに、保持部１４２ｂの上面にボス１４２ｇを設けることによって、大きな力が投射レンズシステム１３０の前玉１３８に加えられたときにも、取付部１４６ｆの移動をボス１４２ｇによって支えることができるような、一層頑丈な構造を実現することができる。この構成により、投射中に投射レンズシステム１３０の前玉１３８が振動して、前群光学系１３６の光軸と後群光学系１３２の光軸となす角度θ１が変化するのを一層効果的に阻止することができ、かつ、前玉１３８に、ねじれ方向の力が働いたとき、前群光学系１３６の光軸１３６ｘが角度θ２だけ変化するのを一層効果的に阻止することができる。
【００２８】
更なる変形例として、図９を参照すると、第四タイプの締結構造において、取付部１４６ｆが前群光学系用鏡胴１４６の外周部で後部に設けられる。保持部１４２ｂが後群光学系用鏡胴１４２の上部に設けられる。クッション材１８０を取付部１４６ｆの下面と、保持部１４２ｂの上面との間に配置して、取付部１４６ｆを保持部１４２ｂに対して密着させることができる。取付部１４６ｆの下面と、保持部１４２ｂの上面との間に隙間があっても、クッション材１８０が隙間ｂに配置されるで、部品精度に影響されることなしに、取付部１４６ｆを保持部１４２ｂに対してぴったりと密着させることができる。クッション材１８０として、ＮＢＲや、ゴムなどを用いることができる。この構成により、投射中に投射レンズシステム１３０の前玉１３８が振動して、前群光学系１３６の光軸と後群光学系１３２の光軸となす角度θ１が変化するのをクッション材１８０によって効果的に吸収することができる。更に、この構成では、接着剤を用いないでクッション材１８０を使用するので、部品の分解が容易である。
【００２９】
更なる変形例として、図１０を参照すると、第五タイプの締結構造において、取付部１４６ｆが前群光学系用鏡胴１４６の外周部で後部に設けられる。案内孔１４６ｊが前群光学系用鏡胴１４６の取付部１４６ｆに設けられる。保持部１４２ｂが後群光学系用鏡胴１４２の上部に設けられる。ボス１４２ｇが保持部１４２ｂの上面に設けられる。ボス１４２ｇを案内孔１４６ｊの中に配置して、クッション材１８０を取付部１４６ｆの下面と、保持部１４２ｂの上面との間に配置して、取付部１４６ｆを保持部１４２ｂに対して密着させることができる。取付部１４６ｆの下面と、保持部１４２ｂの上面との間に隙間があっても、クッション材１８０が隙間ｂに配置されるで、部品精度に影響されることなしに、取付部１４６ｆを保持部１４２ｂに対してぴったりと密着させることができる。クッション材１８０として、ＮＢＲや、ゴムなどを用いることができる。さらに、保持部１４２ｂの上面にボス１４２ｇを設けることによって、大きな力が投射レンズシステム１３０の前玉１３８に加えられたときにも、取付部１４６ｆの移動をボス１４２ｇによって支えることができるような、一層頑丈な構造を実現することができる。この構成により、投射中に投射レンズシステム１３０の前玉１３８が振動して、前群光学系１３６の光軸と後群光学系１３２の光軸となす角度θ１が変化するのを一層効果的に阻止することができ、かつ、前玉１３８に、ねじれ方向の力が働いたとき、前群光学系１３６の光軸１３６ｘが角度θ２だけ変化するのを一層効果的に阻止することができる。更に、この構成では、接着剤を用いないでクッション材１８０を使用するので、接着剤を剥離する必要がなく、部品の分解が容易である。
【００３０】
なお更なる変形例として、図１１を参照すると、第六タイプの締結構造において、取付部１４６ｆが前群光学系用鏡胴１４６の外周部で後部に設けられる。案内孔１４６ｈが前群光学系用鏡胴１４６の取付部１４６ｆに設けられる。保持部１４２ｂが後群光学系用鏡胴１４２の上部に設けられる。位置決めピン１４２ｐが保持部１４２ｂの上面に設けられる。ねじ孔１４２ｃが保持部１４２ｂの上面に設けられる。クッション材１８０を取付部１４６ｆの下面と、保持部１４２ｂの上面との間に配置して、位置決めピン１４２ｐを案内孔１４６ｈの中に配置して、固定ねじ１４２ｄをねじ孔１４２ｃにねじ込むことによって、取付部１４６ｆを保持部１４２ｂに対して堅固に固定することができる。ねじ孔１４２ｃに雌ねじを形成しておくのがよい。或いは、固定ねじ１４２ｄとしてセルフタップねじを用いるときは、ねじ孔１４２ｃは、雌ねじを形成しない単純な穴として形成すればよい。取付部１４６ｆの下面と、保持部１４２ｂの上面との間に隙間があっても、クッション材１８０が隙間ｂに配置されるで、部品精度に影響されることなしに、取付部１４６ｆを保持部１４２ｂに対してぴったりと密着させることができる。クッション材１８０として、ＮＢＲや、ゴムなどを用いることができる。さらに、保持部１４２ｂの上面にボス１４２ｇを設けることによって、大きな力が投射レンズシステム１３０の前玉１３８に加えられたときにも、取付部１４６ｆの移動をボス１４２ｇによって支えることができるような、一層頑丈な構造を実現することができる。この構成により、投射中に投射レンズシステム１３０の前玉１３８が振動して、前群光学系１３６の光軸と後群光学系１３２の光軸となす角度θ１が変化するのを一層効果的に阻止することができ、かつ、前玉１３８に、ねじれ方向の力が働いたとき、前群光学系１３６の光軸１３６ｘが角度θ２だけ変化するのを一層効果的に阻止することができる。更に、この構成では、接着剤を用いないでクッション材１８０を使用するので、部品の分解が容易である。
【００３１】
上記の第一タイプの締結構造から第六タイプの締結構造において、取付部１４６ｆを前群光学系用鏡胴１４６に設け、保持部１４２ｂを後群光学系用鏡胴１４２に設ける構造について説明したけれども、取付部１４６ｆを後群光学系用鏡胴１４２に設け、保持部１４２ｂを前群光学系用鏡胴１４６に設けるように構成することもできる。したがって、位置決めピン１４２ｐは、前群光学系用鏡胴１４６の保持部に設けることもできるし、後群光学系用鏡胴１４２の保持部に設けることもできる。ねじ孔１４２ｃは、前群光学系用鏡胴１４６の保持部に設けることもできるし、後群光学系用鏡胴１４２の保持部に設けることもできる。案内孔１４６ｈは、前群光学系用鏡胴１４６の取付部に設けることもできるし、後群光学系用鏡胴１４２の取付部に設けることもできる。ボス１４２ｇは、前群光学系用鏡胴１４６の保持部に設けることもできるし、後群光学系用鏡胴１４２の保持部に設けることもできる。
また、上記の第一タイプの締結構造から第六タイプの締結構造において、取付部１４６ｆを前群光学系用鏡胴１４６に１個設け、保持部１４２ｂを後群光学系用鏡胴１４２に１個設ける構造について説明したけれども、取付部１４６ｆを後群光学系用鏡胴１４２に複数個設けることもできるし、保持部１４２ｂを前群光学系用鏡胴１４６に複数個設けることもできる。
【００３２】
以上説明したように、本発明により、低音スピーカ（ウーハ）が発する重低音などによって投射レンズが振動することにより生じる像揺れを防ぐことができる。また、本発明のリアプロジェクションテレビは、投射レンズに関連する部品の部品精度の負い込みが必要なく、分解組立が容易である。
【００３３】
（２）第２の実施の形態
次に、本発明のリアプロジェクション型映像装置の第２の実施の形態を説明する。以下の説明は、本発明のリアプロジェクション型映像装置の第２の実施形態が本発明のリアプロジェクション型映像装置の第１の実施形態と異なる点を主に述べる。したがって、以下に記載がない個所は、前述した本発明のリアプロジェクション型映像装置の第１の実施形態についての説明をここに準用する。以下に説明する本発明の第２の実施の形態は、リアプロジェクション型映像装置の中で、リアプロジェクタに関するものである。
【００３４】
図１２を参照すると、本発明のリアプロジェクション型映像装置の実施の形態において、リアプロジェクタ２００は、拡大画像をスクリーンに後方から投射して表示することができるように構成される。リアプロジェクタ２００は、構成部品を収容するためのハウジング１１４を備える。ハウジング１１４は、上方に配置された上部キャビネット１１０と、下方に配置された下部キャビネット１１２とを含む。外部から画像情報に関する信号及び音声情報に関する信号を受け入れて、画像信号及び音声信号を出力して、リアプロジェクタ２００の動作を制御するための信号処理部２２８が、下部キャビネット１１２の中央部の後方部分に配置される。信号処理部２２８が出力する画像信号を受け入れて、画像（映像）を表示するための画像表示素子１２０が、下部キャビネット１１２の中央部の後方部分であって、信号処理部２２８の前方に配置される。信号処理部２２８は、下部キャビネット１１２の後方部分のいずれの位置に配置することもできる。外部の機器から右側の音声信号を受け入れるための第１入力端子２０２が下部キャビネット１１２に設けられる。外部の機器から左側の音声信号を受け入れるための第２入力端子２０３が下部キャビネット１１２に設けられる。外部の機器から映像信号を受け入れるための第３入力端子２０４が下部キャビネット１１２に設けられる。第１入力端子２０２、第２入力端子２０３、第３入力端子２０４は、それぞれ信号処理部２２８に接続される。各種の映像音声出力機器から映像信号、音声信号などに基づく信号を受け入れるための予備入力端子２２２が下部キャビネット１１２に設けられる。予備入力端子２２２は信号処理部２２８に接続される。利用者は、リモートコントローラ（図示せず）を用いてリアプロジェクタ２００を操作することができるように構成される。
【００３５】
テレビ局からのテレビジョン信号を受け入れて、画像情報に関する信号及び音声情報に関する信号を出力するためのチューナ２３０の出力端子が、接続コード２３１を介してアンプ２４０の入力端子（図示せず）に接続される。受信アンテナ（図示せず）をチューナ２３０に接続することができる。接続コード２３１は右側の音声信号と、左側の音声信号と、映像信号を伝達することができるように構成される。右側の音声信号、左側の音声信号、映像信号を別個に伝達する場合、それぞれの信号伝達用として、合計３本の接続コードを用いることができる。チューナ２３０は、チューナ２３０の動作内容を表示するための表示部２３２と、チューナ２３０を操作するための操作部２３４とを含む。表示部２３２は液晶パネル、ＬＥＤなどで構成することができる。操作部２３４は、プッシュボタン、回転ダイアル、スライドスイッチ、タッチスイッチなどで構成することができる。チューナ２３０を操作することにより、テレビジョン信号を受け入れて、画像情報に関する信号及び音声情報に関する信号をリアプロジェクタ２００の信号処理部２２８に出力することができるように構成される。リモートコントローラ（図示せず）を用いてチューナ２３０を操作することができるように構成することもできる。
【００３６】
ビデオテープ、ＤＶＤディスク、ＤＶＤ−Ｒ、ＣＤ−ＲＯＭなどの記録媒体に記録された画像情報に関する信号及び音声情報に関する信号を出力することができるビデオプレーヤ２５０の出力端子が、接続コード２５１を介してアンプ２４０の入力端子に接続される。接続コード２５１は右側の音声信号と、左側の音声信号と、映像信号を伝達することができるように構成される。右側の音声信号、左側の音声信号、映像信号を別個に伝達する場合、それぞれの信号伝達用として、合計３本の接続コードを用いることができる。ビデオプレーヤ２５０は、ビデオプレーヤ２５０の動作内容を表示するための表示部２５２と、ビデオプレーヤ２５０を操作するための操作部２５４と、ＤＶＤディスク、ＤＶＤ−Ｒ、ＣＤ−ＲＯＭなどをセットできるＤＶＤディスクセット部２５６と、ビデオテープなどをセットできるビデオテープセット部２５８とを含む。表示部２５２は液晶パネル、ＬＥＤなどで構成することができる。操作部２５４は、プッシュボタン、回転ダイアル、スライドスイッチ、タッチスイッチなどで構成することができる。ビデオプレーヤ２５０を操作することにより、ビデオテープ、ＤＶＤディスク、ＤＶＤ−Ｒ、ＣＤ−ＲＯＭなどの記録媒体から読み取った画像信号及び音声信号をリアプロジェクタ２００の信号処理部２２８に出力することができるように構成される。リモートコントローラ（図示せず）を用いてビデオプレーヤ２５０を操作することができるように構成することもできる。
【００３７】
アンプ２４０は、アンプ２４０の動作内容を表示するための表示部２４６と、アンプ２４０を操作するための操作部２４８とを含む。表示部２４６は液晶パネル、ＬＥＤなどで構成することができる。操作部２４８は、プッシュボタン、回転ダイアル、スライドスイッチ、タッチスイッチなどで構成することができる。アンプ２４０の第１出力端子（例えば、右側の音声信号伝達用）（図示せず）は接続コード２４２を介して、リアプロジェクタ２００の第１入力端子２０２に接続される。アンプ２４０の第２出力端子（例えば、左側の音声信号伝達用）（図示せず）は接続コード２４３を介して、リアプロジェクタ２００の第２入力端子２０３に接続される。アンプ２４０の第３出力端子（例えば、映像信号伝達用）（図示せず）は接続コード２４３を介して、リアプロジェクタ２００の第３入力端子２０３に接続される。リモートコントローラ（図示せず）を用いてアンプ２４０を操作することができるように構成することもできる。
【００３８】
さらに、ビデオカメラなどの各種の映像音声出力機器（図示せず）は接続コード（図示せず）を介して、予備入力端子（ＡＵＸ端子）２２２に接続することができるように構成することができる。この構成により、外部の映像音声出力機器から映像信号、音声信号を信号処理部２２８に伝達することができる。
【産業上の利用可能性】
【００３９】
本発明により、低音スピーカにより生じる投射レンズシステムの振動を減らすように構成されたリアプロジェクションテレビ、リアプロジェクタなどのリアプロジェクション型映像装置を製造することができる。本発明により、分解組立が容易であるように構成されたリアプロジェクション型映像装置を製造することができる。
【図面の簡単な説明】
【００４０】
【図１】本発明の第１の実施形態において、リアプロジェクションテレビの投射レンズシステムと、反射ミラーと、スクリーンの構造を示す部分断面図である。
【図２】本発明の第１の実施形態において、リアプロジェクションテレビの投射レンズシステムと、反射ミラーと、スクリーンの構造を示す断面図である。
【図３】本発明の第１の実施形態において、リアプロジェクションテレビの全体構造を示す斜視図である。
【図４】本発明の第１の実施形態において、リアプロジェクションテレビの投射レンズシステムの構造を示す上面図である。
【図５】本発明の第１の実施形態において、リアプロジェクションテレビの投射レンズシステムの構造を示す側面図である。
【図６】本発明の第１の実施形態において、リアプロジェクションテレビの投射レンズシステムの第一タイプの締結構造を示す部分断面側面図である。
【図７】本発明の第１の実施形態において、リアプロジェクションテレビの投射レンズシステムの第二タイプの締結構造を示す部分側面図である。
【図８】本発明の第１の実施形態において、リアプロジェクションテレビの投射レンズシステムの第三タイプの締結構造を示す部分断面側面図である。
【図９】本発明の第１の実施形態において、リアプロジェクションテレビの投射レンズシステムの第四タイプの締結構造を示す部分平面図である。
【図１０】本発明の第１の実施形態において、リアプロジェクションテレビの投射レンズシステムの第五タイプの締結構造を示す部分断面側面図である。
【図１１】本発明の第１の実施形態において、リアプロジェクションテレビの投射レンズシステムの第六タイプの締結構造を示す部分断面側面図である。
【図１２】本発明の第２の実施形態において、リアプロジェクタの全体構成を示す部分断面図及び斜視図である。
【図１３】従来のリアプロジェクションテレビの全体構造を示す斜視図である。
【図１４】従来のリアプロジェクションテレビの投射レンズシステムと、反射ミラーと、スクリーンの構造を示す断面図である。
【符号の説明】
【００４１】
１００    リアプロジェクションテレビ
１１０    上部キャビネット
１１２    下部キャビネット
１１４    ハウジング
１２０    画像表示素子
１２８    テレビジョン制御部
１３０    投射レンズシステム
１３２    後群光学系
１３４    中間ミラー
１３６    前群光学系
１４０    画像投射用ミラー
１４２    後群光学系用鏡胴
１４２ｂ  保持部
１４２ｃ  ねじ孔
１４２ｄ  固定ねじ
１４２ｐ  位置決めピン
１４６    前群光学系用鏡胴
１４６ｆ  取付部
１４６ｈ  案内孔
１５０    スクリーン
１５０、１５２    高音スピーカ
１５４、１５６    低音スピーカ
２００    リアプロジェクタ
２２８    信号処理部
２０２    テレビ入力端子
２０４    ビデオ入力端子
２０６    予備入力端子
２３０    チューナ
２５０    ビデオプレーヤ
【図１】
2005352293.tif 000003
【図２】
2005352293.tif 000004
【図３】
2005352293.tif 000005
【図４】
2005352293.tif 000006
【図５】
2005352293.tif 000007
【図６】
2005352293.tif 000008
【図７】
2005352293.tif 000009
【図８】
2005352293.tif 000010
【図９】
2005352293.tif 000011
【図１０】
2005352293.tif 000012
【図１１】
2005352293.tif 000013
【図１２】
2005352293.tif 000014
【図１３】
2005352293.tif 000015
【図１４】
2005352293.tif 000016